(57)【要約】【課題】容易かつ確実に作動させることができ、弱い磁石を使っても強い保持力で保持することができ、保持力は時間が経過しても弱まることがない保持具を提供する。【解決手段】固定片１に取り付けた軸９により可動片１０を取り付け、被保持物を保持する挟持片４及び挟持片１５を固定片１及び可動片１０にそれぞれ設けている。両挟持片４・１５を合せた状態で互いに向き合う部分において固定片１にくぼみ５を設けて可動片１０に摺動片１３を設け、くぼみ５の奥と摺動片１３とに磁石６・１４を設けている。図１の上図に示すように、固定片１に被保持物Ａを乗せ、可動片１０の右側を押し下げる。摺動片１３がくぼみ５に対向する位置に来て磁石６が磁石１４を吸着することで摺動片１３をくぼみ５内へ引き込み、図１の下図に示すロック状態になる。【選択図】図１
2007307326.tif 000002
【特許請求の範囲】
【請求項１】
固定片（１）に取り付けた軸（９）により軸（９）を中心として回転できるように可動片（１０）を取り付け、軸（９）の一方側において互いに合さって被保持物を間に保持する挟持片（４）及び挟持片（１５）を固定片（１）及び可動片（１０）にそれぞれ設け、両挟持片（４）（１５）を合せて両者間に被保持物を保持した状態で互いに向き合う部分を固定片（１）と可動片（１０）とに設け、その向き合う部分において一方にはくぼみ（５）を設けて他方にはくぼみ（５）にちょうどはまる摺動片（１３）を設け、くぼみ（５）の奥と摺動片（１３）とに互いに吸着し合う磁石（６）と磁石（１４）とを設けた保持具。
【請求項２】
固定片（１）との間に設けたガイド手段を介して固定片（１）に対して離合できるように可動片（１０）を取り付け、そして両者が合さったとき互いに合さって被保持物を間に保持する挟持片（４）及び挟持片（１５）を固定片（１）及び可動片（１０）にそれぞれ設け、両挟持片（４）（１５）を合せて両者間に被保持物を保持した状態で互いに向き合う部分を固定片（１）と可動片（１０）とに設け、その向き合う部分において一方にはくぼみ（５）を設けて他方にはくぼみ（５）にちょうどはまる摺動片（１３）を設け、くぼみ（５）の奥と摺動片（１３）とに互いに吸着し合う磁石（６）と磁石（１４）とを設けた保持具。
【請求項３】
くぼみ（５）にはまった摺動片（１３）を押し出す方向の貫通穴（７）をくぼみ（５）から固定片（１）又は可動片（１０）の外部へと設けたことを特徴とする、請求項１又は２記載の保持具。
【発明の詳細な説明】
【技術分野】
【０００１】  本発明は、各種のシート状体・板状体・線状体・棒状体・パイプ状体等を保持する保持具、または各種のシート材体等に保持させる保持具に関するものである。
【背景技術】
【０００２】  各種のシート状体等を保持する保持具、または各種のシート材体等に保持させる保持具としては、ばね・フック・掛け金・面ファスナー・磁石等を利用したいろいろなものが使用されている。
【発明の開示】
【発明が解決しようとする課題】
【０００３】  前記従来のものには次のような欠点がある。例えば、ばねを利用したものでは、ばねを強くし過ぎると力の弱い者には作動がしにくくなる。弱くし過ぎると作動が不確実になったりする。長期間使用するうちにばねが弱くなり、同じく作動が完全にはいかなくなったりすることもある。フック・掛け金・面ファスナー等を使用したもののうちには、保持するときに一回以上の余計な動作が必要となるものもある。磁石を用いたものでは、磁気力だけで強い保持力を得るようにしているため、強い磁石を使用しなければならないこともある。強い磁石は大きくなりがちで高価になる。【０００４】  本発明が解決しようとする課題は、ほとんど力を使わずに容易にかつ確実に作動させることができ、弱い磁石を使っても強い保持力で保持することができ、保持力は時間が経過しても弱まることがない保持具を提供する点にある。
【課題を解決するための手段】
【０００５】  請求項１に係る保持具は、固定片１に取り付けた軸９により軸９を中心として回転できるように可動片１０を取り付け、軸９の一方側において互いに合さって被保持物を間に保持する挟持片４及び挟持片１５を固定片１及び可動片１０にそれぞれ設け、両挟持片４・１５を合せて両者間に被保持物を保持した状態で互いに向き合う部分を固定片１と可動片１０とに設け、その向き合う部分において一方にはくぼみ５を設けて他方にはくぼみ５にちょうどはまる摺動片１３を設け、くぼみ５の奥と摺動片１３とに互いに吸着し合う磁石６と磁石１４とを設けたものである。【０００６】  請求項２に係る保持具は、固定片１との間に設けたガイド手段を介して固定片１に対して離合できるように可動片１０を取り付け、そして両者が合さったとき互いに合さって被保持物を間に保持する挟持片４及び挟持片１５を固定片１及び可動片１０にそれぞれ設け、両挟持片４・１５を合せて両者間に被保持物を保持した状態で互いに向き合う部分を固定片１と可動片１０とに設け、その向き合う部分において一方にはくぼみ５を設けて他方にはくぼみ５にちょうどはまる摺動片１３を設け、くぼみ５の奥と摺動片１３とに互いに吸着し合う磁石６と磁石１４とを設けたものである。ガイド手段としては、固定片１に対し可動片１０を離したり接合させたりするようにガイドするものならどのようなものでもよい。【０００７】  請求項３に係る保持具は、請求項１又は２記載のものにおいて、くぼみ５にはまった摺動片１３を押し出す方向の貫通穴７をくぼみ５から固定片１又は可動片１０の外部へと設けたことを特徴とするものである。【０００８】  くぼみ５内から摺動片１３を引き抜いた状態ではロックが解除され、固定片１に対し可動片１０がフリーになっている。固定片１から可動片１０を離して両者間に被保持物を配置し、固定片１の挟持片４と可動片１０の挟持片１５とを合せて両者間に被保持物を保持させる。このとき、くぼみ５の位置に摺動片１３が来てくぼみ５の奥の磁石６が摺動片１３の磁石１４を引き寄せることで摺動片１３がくぼみ５内へ引き込まれロックされる。両挟持片４・１５間の被保持物を両挟持片４・１５から開放するには、貫通穴７に棒状の物を差し込んだりして摺動片１３をくぼみ５内から押し出せばよい。
【発明の効果】
【０００９】  本発明に係る保持具においては、固定片１の挟持片４と可動片１０の挟持片１５との間に被保持物を配置して固定片１と可動片１０との間にある互いに向き合う部分が向き合った状態にするだけで、後は磁力で自動的に固定できるので、力はほとんど必要とせず、操作は容易である。保持しているときは磁力で保持状態を維持するわけではないので、弱い磁石を使っても強い保持力で保持することができる。保持力は時間が経過しても弱まることがない。
【発明を実施するための最良の形態】
【００１０】  本発明を実施するための最良の形態を図１に基づいて説明する。図１の上図及び下図は保持具の作動を示す断面図である。１は固定片を示している。固定片１は、直方体の形状に形成した左端の基片２と、基片２の前端と後端とから右方へそれぞれ平行に伸びる側板３と、両側板３の右端間を掛け渡してしかも右方へと水平に伸びる板状の挟持片４とからなっている。基片２の中央に右方から円形のくぼみ５を設け、くぼみ５の奥から左方へと磁石６を埋め込んでいる。磁石６の上方位置においてくぼみ５から左方へと貫通する貫通穴７を設けている。挟持片４の外周には弾性材８を巻き付けている。【００１１】  両側板３の右端間に水平に取り付けた軸９により軸９を中心として上下方向に回転できるように可動片１０を取り付けている。可動片１０の左下端に左へ突出させて形成したストッパー１１が基片２の右下端に設けたくぼみにはまったとき、図１の下図が示すように可動片１０は水平になるようにしている。そして、可動片１０を水平にした状態で基片２のくぼみ５に対応する位置にくぼみ５と同径のくぼみ１２を設け、くぼみ１２にちょうどはまる形状とした摺動片１３をくぼみ１２にはめている。摺動片１３には基片２の磁石６に対応する位置に磁石６と吸着し合う磁石１４を設けている。可動片１０の軸９より右方の部分は挟持片４と同形の挟持片１５とし、外周に弾性材１６を巻き付けている。【００１２】  以上のものは次のように使用する。図１の上図が示すように、軸９を中心にして可動片１０の左側を下方へ回転させた状態にし、固定片１の挟持片４の弾性材８の上に被保持物Ａを乗せ、可動片１０の右側を押し下げる。可動片１０の左端下部のストッパー１１が基片２の右下端のくぼみにはまったところで、可動片１０の摺動片１３が基片２のくぼみ５に対向する位置に来て基片２の磁石６が摺動片１３の磁石１４を吸着することで摺動片１３を基片２のくぼみ５内へ引き込み、図１の下図に示す状態になる。このとき、固定片１の挟持片４の弾性材８と可動片１０の挟持片１５の弾性材１６との間に被保持物Ａがしっかり保持されている。被保持物Ａを開放するには、基片２の貫通穴７に棒状の物を差し込んで摺動片１３を基片２のくぼみ５内から押し出し、可動片１０の挟持片１５を持ち上げればよい。【００１３】  つぎに、別の実施の形態を図２に基づいて説明する。図２の左図が示すように、板状とした固定片１を垂直に配置し、固定片１の下方に直交方向左方へ直方体形状のガイド片１７を設けている。固定片１と同じ形状とした可動片１０の下方に固定片１のガイド片１７がちょうどはまる貫通穴１８をあけて貫通穴１８にガイド片１７を通している。固定片１の上方の挟持片４の左面に弾性材８を張り付け、可動片１０の上方の挟持片１５の右面に弾性材１６を張り付けている。そして、貫通穴１８の下方位置において下方へ向けて可動片１０にくぼみ５を設け、くぼみ５の下に磁石６を埋め込んでいる。磁石６に沿わせ下側へ貫通する貫通穴７を設けている。そして、図２の右図が示すように、可動片１０を固定片１側へ移動させ両者を合せたとき可動片１０のくぼみ５に対応する位置において固定片１のガイド片１７にくぼみ１２を設けてくぼみ１２に摺動片１３���はめている。摺動片１３に磁石１４を埋め込んでいる。図２の左図に示すように、被保持物Ａを固定片１の弾性材８に当てガイド片１７に沿わせて可動片１０を固定片１側へ移動させ、図２の右図が示すように被保持物Ａを保持する。【００１４】  本発明に係る保持具には各種用途が考えられる。例えば衣料品等の各種商品の万引き防止に利用する。保持具に磁気シートを取り付けて衣料品等の各種商品の適当部分に保持具を取り付けると、各種商品に磁気シートが取り付けられたことになる。万引き客が店外へ持ち出そうとした場合、万引き防止ゲートでセンサが検知する。客が商品をレジに持ち込んだ場合は、店員が貫通穴７に棒状体を差し込んで摺動片１３をくぼみ５内から押し出し、ロックを解除して商品から外す。貫通穴７を鍵穴とし貫通穴７に差し込むのは専用の鍵ということにし、店員だけが専用鍵を使用できるようにすれば、完全な万引き防止ができる。【００１５】  本発明に係る保持具は、各種のシート状体・板状体・線状体・棒状体・パイプ状体等を保持する保持具、または各種のシート材体等に保持させて使用する保持具として利用することができる。
【図面の簡単な説明】
【００１６】
【図１】発明を実施するための最良の形態の作動を示す断面図である。
【図２】別の実施の形態の作動を示す断面図である。
【符号の説明】
【００１７】  １  固定片    ４  挟持片      ５  くぼみ      ６  磁石      ７  貫通穴
９  軸      １０  可動片    １３  摺動片    １４  磁石
１５  挟持片  １７  ガイド片
【図１】
2007307326.tif 000003
【図２】
2007307326.tif 000004